(57)【要約】【課題】初圧を付与した状態に容易に組み立てることができ、生産の自動化に対応することが可能な自動復帰型スイッチ及びその組立て方法の提供。  【解決手段】バネ部材５及び操作部材６を互いに干渉しない位置関係においてモールドケース７に組み込み、しかる後、操作部材６に押し込み方向の押圧力を作用させてバネ部材５を弾性変形させるとともに、操作部材６に一体に形成された当て止め部３５を押し込み方向側に移動させておき、その状態でモールドケース７にシールドカバー８を組み込み、シールドカバー８に形成されたストッパー部４０を当て止め部３５の引き起こし方向側に挿入した後、操作部材６に作用する押圧力を解除し、原点位置においてストッパー部４０に当て止め部３５を当て止めさせ、操作部材６のバネ部材５より離反する方向の移動を規制し、操作部材６に原点位置側に向けた付勢力を付与する。【選択図】  図４
2013012372.tif 000002
【特許請求の範囲】
【請求項１】
中空箱状のハウジングと、該ハウジングに所定の原点位置と押し込み位置との間で移動可能に支持された操作部材と、該操作部材を前記原点位置側に付勢するバネ部材とを備え、前記操作部材が前記原点位置より前記バネ部材の弾性に抗して前記押し込み位置側に移動することによりオン・オフ状態の切り替えがされるようにした自動復帰型スイッチにおいて、
前記ハウジングは、有底箱状のモールドケースに、該モールドケースの上面開口部を閉鎖するシールドケースを組み込むことにより形成され、
該シールドケースは、前記モールドケース側に突出したストッパー部を備え、
前記操作部材は、前記モールドケースに前記バネ部材と接触しない位置まで移動可能に支持されるとともに、前記原点位置において前記ストッパー部に当て止めされる当て止め部を有し、
シールドカバー未装着時には、前記操作部材が前記モールドケースに前記原点位置より前記バネ部材と接触しない位置まで移動可能である一方、シールドカバー装着時には、前記当て止め部が前記ストッパー部に当て止めされて前記操作部材の前記原点位置より前記バネ部材から離反する方向への移動が規制されるようにしたことを特徴としてなる自動復帰型スイッチ。
【請求項２】
前記バネ部材は、一方の端部が前記モールドケースに固定され、他方の端部に可動接点部が形成された可動接点端子をもって構成され、
該可動接点端子は、前記操作部材の移動により該操作部材に押圧されてモールドケース内に配置された固定接点と接触する位置と非接触にある位置との間で移動するようにしてなる請求項１に記載の自動復帰型スイッチ。
【請求項３】
前記操作部材は、前記モールドケースに回動可能に支持された回動レバーである請求項１又は２に記載の自動復帰型スイッチ。
【請求項４】
有底箱状のモールドケースにシールドケースを組み込んでなる中空箱状のハウジングと、該ハウジングに所定の原点位置と押し込み位置との間で移動可能に支持された操作部材と、該操作部材を前記原点位置側に付勢するバネ部材とを備え、前記操作部材が前記原点位置より前記バネ部材の弾性に抗して前記押し込み位置側に移動することによりオン・オフ状態の切り替えがされるようにしてなる自動復帰型スイッチの組み立て方法において、
前記バネ部材及び前記操作部材を互いに干渉しない位置関係において前記モールドケースに組み込み、しかる後、前記操作部材に押し込み方向の押圧力を作用させて前記バネ部材を弾性変形させるとともに、前記操作部材に一体に形成された当て止め部を押し込み方向側に移動させておき、その状態で前記モールドケースの上面開口部側より前記シールドカバーを組み込み、該シールドカバーに形成されたストッパー部を前記当て止め部の引き起こし方向側に挿入した後、前記操作部材に作用する押圧力を解除し、前記原点位置において、前記ストッパー部に当て止め部を当て止めさせ、前記操作部材の前記バネ部材より離反する方向の移動を規制し、前記操作部材に原点位置側に向けた付勢力を付与することを特徴としてなる自動復帰型スイッチの組み立て方法。
【発明の詳細な説明】
【技術分野】
【０００１】
本発明は、各種電子機器における記録媒体の出し入れ等を検出するための検出用スイッチやリセット用スイッチ等として使用されるレバースイッチ等の自動復帰型スイッチ及びその組立て方法に関する。
【背景技術】
【０００２】
従来、携帯電話機等の携帯端末機器やポータブルオーディオプレーヤー、デジタルカメラ等の電子機器においては、ＩＣカードやＣＤ等の記録媒体の挿入状態を検出する手段として、或いはリセット（初期化動作）用スイッチとしてレバーの回動動作に伴いオン・オフ動作がなされるレバー式スイッチ等の自動復帰型スイッチが用いられている。
【０００３】
このような自動復帰型スイッチには、中空箱状のハウジング１００内に収容されたばね状の可動接点端子１０２を備え、回動レバー１０３を押し倒し位置まで回動させることにより可動接点端子１０２が変形し、それにより可動接点端子１０２の一方の端部に形成された可動接点１０４が側壁部に沿ってハウジングに固定された固定接点１０１と接触する位置に移動し（オン状態）、一方、レバー１０３に作用する力を解除すると、可動接点端子の弾性力により回動レバー１０３が引き起こし位置（原点位置）に復帰し、それに伴い可動接点１０４が固定接点１０１より離反するようにした自動復帰型（モーメンタリー構造）のスイッチが知られている（例えば特許文献１）。
【０００４】
このような自動復帰型スイッチでは、原点位置において可動接点端子１０２を撓ませた状態で回動レバー１０３に当接させ、常に回動レバー１０３を引き起こし方向に付勢しておくことにより、振動や衝撃によるスイッチの誤動作や、回動レバー１０３の原点位置が商品毎にばらつく等の障害が生じるのを防止している。
【０００５】
このようなレバースイッチでは、ハウジングがモールドケースとシールドケースとを組み込むことにより構成され、モールドケースに回動レバーを組み込んだ後、ハウジング内に可動接点端子を撓ませた状態で組み込み、しかる後、シールドカバーを嵌め込むようになっている。
【先行技術文献】
【特許文献】
【０００６】
【特許文献１】特開２００７−２２０５１７号公報
【発明の概要】
【発明が解決しようとする課題】
【０００７】
しかしながら、上述の如き従来の技術では、スイッチの組立てに際し、回動レバーに引き起こし方向の付勢力（初圧）を付与するために、可動接点端子を撓ませた状態でモールドケースに組み込む必要があり、作業中に可動接点端子が弾性復帰しようとするため組み込み作業が煩雑であり、特に、小型化されたものではこの組み込み作業が非常に困難で自動化の妨げとなっているという問題があった。
【０００８】
そこで、本発明は、このような従来の問題に鑑み、初圧を付与した状態に容易に組み立てることができ、組立作業の自動化に対応することが可能な自動復帰型スイッチ及びその組立て方法の提供を目的としてなされたものである。
【課題を解決するための手段】
【０００９】
上述の如き従来の問題を解決し、所期の目的を達成するための請求項1に記載の発明の特徴は、中空箱状のハウジングと、該ハウジングに所定の原点位置と押し込み位置との間で移動可能に支持された操作部材と、該操作部材を前記原点位置側に付勢するバネ部材とを備え、前記操作部材が前記原点位置より前記バネ部材の弾性に抗して前記押し込み位置側に移動することによりオン・オフ状態の切り替えがされるようにした自動復帰型スイッチにおいて、前記ハウジングは、有底箱状のモールドケースに、該モールドケースの上面開口部を閉鎖するシールドケースを組み込むことにより形成され、該シールドケースは、前記モールドケース側に突出したストッパー部を備え、前記操作部材は、前記モールドケースに前記バネ部材と接触しない位置まで移動可能に支持されるとともに、前記原点位置において前記ストッパー部に当て止めされる当て止め部を有し、シールドカバー未装着時には、前記操作部材が前記モールドケースに前記原点位置より前記バネ部材と接触しない位置まで移動可能である一方、シールドカバー装着時には、前記当て止め部が前記ストッパー部に当て止めされて前記操作部材の前記原点位置より前記バネ部材から離反する方向への移動が規制されるようにしたことにある。
【００１０】
請求項２に記載の発明の特徴は、請求項１の構成に加え、前記バネ部材は、一方の端部が前記モールドケースに固定され、他方の端部に可動接点部が形成された可動接点端子をもって構成され、該可動接点端子は、前記操作部材の移動により該操作部材に押圧されてモールドケース内に配置された固定接点と接触する位置と非接触にある位置との間で移動するようにしたことにある。
【００１１】
請求項３に記載の発明の特徴は、請求項１又は２の構成に加え、前記操作部材は、前記モールドケースに回動可能に支持された回動レバーであることにある。
【００１２】
請求項４に記載の発明の特徴は、有底箱状のモールドケースにシールドケースを組み込んでなる中空箱状のハウジングと、該ハウジングに所定の原点位置と押し込み位置との間で移動可能に支持された操作部材と、該操作部材を前記原点位置側に付勢するバネ部材とを備え、前記操作部材が前記原点位置より前記バネ部材の弾性に抗して前記押し込み位置側に移動することによりオン・オフ状態の切り替えがされるようにしてなる自動復帰型スイッチの組み立て方法において、前記バネ部材及び前記操作部材を互いに干渉しない位置関係において前記モールドケースに組み込み、しかる後、前記操作部材に押し込み方向の押圧力を作用させて前記バネ部材を弾性変形させるとともに、前記操作部材に一体に形成された当て止め部を押し込み方向側に移動させておき、その状態で前記モールドケースの上面開口部側より前記シールドカバーを組み込み、該シールドカバーに形成されたストッパー部を前記当て止め部の引き起こし方向側に挿入した後、前記操作部材に作用する押圧力を解除し、前記原点位置において、前記ストッパー部に当て止め部を当て止めさせ、前記操作部材の前記バネ部材より離反する方向の移動を規制し、前記操作部材に原点位置側に向けた付勢力を付与することにある。
【発明の効果】
【００１３】
本発明に係る自動復帰型スイッチは、上述したように、中空箱状のハウジングと、該ハウジングに所定の原点位置と押し込み位置との間で移動可能に支持された操作部材と、該操作部材を前記原点位置側に付勢するバネ部材とを備え、前記操作部材が前記原点位置より前記バネ部材の弾性に抗して前記押し込み位置側に移動することによりオン・オフ状態の切り替えがされるようにした自動復帰型スイッチにおいて、  前記ハウジングは、有底箱状のモールドケースに、該モールドケースの上面開口部を閉鎖するシールドケースを組み込むことにより形成され、該シールドケースは、前記モールドケース側に突出したストッパー部を備え、前記操作部材は、前記モールドケースに前記バネ部材と接触しない位置まで移動可能に支持されるとともに、前記原点位置において前記ストッパー部に当て止めされる被当て止め部を有し、シールドカバー未装着時には、前記操作部材が前記モールドケースに前記原点位置より前記バネ部材と接触しない位置まで移動可能である一方、シールドカバー装着時には、前記被当て止め部が前記ストッパー部に当て止めされて前記操作部材の前記原点位置より前記バネ部材から離反する方向への移動が規制されるようにしたことにより、操作部材及びバネ部材を互いに干渉しない状態でモールドケースに組み込むことができ、小型のものであっても組み込み作業が容易に行え、組立て作業の自動化にも対応することができる。
【００１４】
また、本発明において、前記バネ部材は、一方の端部が前記モールドケースに固定され、他方の端部に可動接点部が形成された可動接点端子をもって構成され、該可動接点端子は、前記操作部材の移動により該操作部材に押圧されてモールドケース内に配置された固定接点と接触する位置と非接触にある位置との間で移動するようにしたことにより、バネ部材を可動接点端子に兼用させることで、部品点数を抑えることができる。また、可動接点端子の一方の端部をモールドケースに固定することでシールドケース未装着時に操作部材より押圧力を受けてもモールドケースより外れることがない。
【００１５】
更に本発明において、前記操作部材は、前記モールドケースに回動可能に支持された回動レバーであることにより、外部より受ける押し込み力を回動動作に変換し、その押し込み力を好適にバネ部材に伝達することができる。
【００１６】
また、本発明に係る自動復帰型スイッチの組立て方法は、上述したように、有底箱状のモールドケースにシールドケースを組み込んでなる中空箱状のハウジングと、該ハウジングに所定の原点位置と押し込み位置との間で移動可能に支持された操作部材と、該操作部材を前記原点位置側に付勢するバネ部材とを備え、前記操作部材が前記原点位置より前記バネ部材の弾性に抗して前記押し込み位置側に移動することによりオン・オフ状態の切り替えがされるようにしてなる自動復帰型スイッチの組み立て方法において、前記バネ部材及び前記操作部材を互いに干渉しない位置関係において前記モールドケースに組み込み、しかる後、前記操作部材に押し込み方向の押圧力を作用させて前記バネ部材を弾性変形させるとともに、前記操作部材に一体に形成された当て止め部を押し込み方向側に移動させておき、その状態で前記モールドケースの上面開口部側より前記シールドカバーを組み込み、該シールドカバーに形成されたストッパー部を前記当て止め部の引き起こし方向側に挿入した後、前記操作部材に作用する押圧力を解除し、前記原点位置において、前記ストッパー部に当て止め部を当て止めさせ、前記操作部材の前記バネ部材より離反する方向の移動を規制し、前記操作部材に原点位置側に向けた付勢力を付与することにより、バネ部材の組み込みの際、バネ部材を撓ませる必要がなく容易に組み込むことができ、組立作業の自動化にも対応することができる。
【図面の簡単な説明】
【００１７】
【図１】本発明に係る自動復帰型スイッチの一例を示す平面図である。
【図２】同上の部分破断平面図である。
【図３】（ａ）は図１中のシールドカバーを示す平面図、（ｂ）は同Ａ−Ａ線断面図である。
【図４】（ａ）〜（ｅ）は本発明に係る自動復帰型スイッチの組立て方法における各工程の状態を示す平面図である。
【図５】従来の自動復帰型スイッチの一例の概略を示す部分破断平面図である。
【発明を実施するための形態】
【００１８】
次に、本発明に係る自動復帰型スイッチの実施の態様を図１〜図３に示した実施例に基づいて説明する。尚、図中符号１はレバースイッチ等の自動復帰スイッチである。
【００１９】
この自動復帰型スイッチ１は、中空箱状のハウジング２と、ハウジング２内に露出させた固定接点部３ａを有する固定接点端子３と、一端をハウジング２に固定させ、他端に固定接点部３ａと接触する可動接点部４が形成されたバネ部材としての可動接点端子５と、ハウジング２に回動可能に支持された操作部材としての回動レバー６とを備え、この回動レバー６が図１中実線で示す所定の原点位置と図１中一点鎖線で示す所定の押し込み位置との間で回動動作することによりオン・オフ状態の切り替えがなされるようになっている。
【００２０】
ハウジング２は、絶縁樹脂製のモールドケース７と、金属材製のシールドカバー８とを組み込んで中空箱状に形成されている。
【００２１】
モールドケース７は、平板状の基板部１０と、基板部１０側縁より立ち上げた形状の各側壁部１１ａ，１１ｂ，１１ｃとを備えて基板部１０と対向する側が開口した有底箱状に形成され、この基板部１０と対向する上面開口部がシールドカバー８により閉鎖されるようになっている。
【００２２】
また、このモールドケース７には、一方の側壁部１１の内側に固定接点支持壁部１２が形成され、この固定接点支持壁部１２の内側面、即ち他方の側壁部１１ｂ側の回動レバー６とは反対側の端部に固定接点部３ａを露出させている。
【００２３】
固定接点端子３は、平板状の固定接点部３ａと、接続基板に形成された接続パターンに半田付け等により接続される接続端子部３ｂとを一体に備え、固定接点部３ａ及び接続基板３ｂを露出させた状態でインサート成型によりモールドケース７と一体化されている。  
【００２４】
一方、側壁部１１ａの回動レバー側端部には、可動接点端子５の一方の端部が圧入されて固定される端子圧入部１３が形成され、この端子圧入部１３の内側面には、インサート成型によりモールドケース７と一体化したコモン端子１４の接点部が露出されており、この端子圧入部１３に圧入された可動接点端子５の支持固定部２０がコモン端子１４の接点部と常時接続した状態で固定されるようになっている。
【００２５】
可動接点端子５は、弾性を有する導電性板材を打ち抜き・折り曲げ加工することにより「の」字状に形成され、一方の端部に形成された支持固定部２０が上述の端子圧入部１３に圧入されている。
【００２６】
また、可動接点端子５は、支持固定部２０とは反対側の端部に可動接点部４が形成され、回動レバー６が押し込み方向に回動することにより被操作部２３が押圧されて支持固定部２０を基点に弾性変形し、可動接点部４が固定接点支持壁１２の内側面に沿って移動して固定接点部３ａと接触する位置に移動し、回動レバー６に作用する押し込み力を解除すると、可動接点端子５の弾性により原点位置側に向けて回動レバー６を押し戻し、それに伴い可動接点部４が固定接点部３ａより離反するようになっている。
【００２７】
回動レバー６は、モールドケース７の基板部１０の一方の端部に回動軸３０を介して回動可能に支持された回動部３１と、回動部３１の外縁部より回動軸３０と直交する方向に向けた棒状の操作部３２とを一体に備え、この操作部３２が回動軸３０を中心に回動するようになっている。
【００２８】
回動部３１には、円形状の挿通孔３４が形成され、この挿通孔に基板部１０に一体に突設された回動軸３０が挿入されることにより基板部１０に対して水平方向に回動できるようになっている。
【００２９】
また、回動部３１の外縁には、操作部３２と回動方向で間隔を置いた位置に押圧部３３を一体に備え、この押圧部３３が回動動作に伴い可動接点端子５の被操作部２３を押圧するようになっている。
【００３０】
この押圧部３３には、押圧側とは反対側部分に操作部３２と対向配置に当て止め部３５が一体に形成されており、モールドケース７にシールドカバー８が装着された際に、この当て止め部３５が原点位置においてシールドカバー８のストッパー部４０に当接して当て止めされ、回動レバー６の可動接点端子５から離反する方向への移動が規制されるようになっている。
【００３１】
シールドカバー８は、図３に示すように、導電性金属製板材を折り曲げ加工することにより形成され、平板状の本体部４１と、本体部４１のレバー側端部にモールドケース側に折り曲げた形状のストッパー部４０が一体に形成されている。
【００３２】
このストッパー部４０は、本体部４１を上下方向に切り出し、折り目４０ａよりモールドケース側に折り曲げることにより形成され、その先端側部に外側に向けて折り曲げた形状の押さえ部４２が形成されている。
【００３３】
また、シールドカバー８には、両側縁部にモールドケース７の側縁部に形成された係合凸部４３，４３...と互いに係合する係合片部４４，４４が一体に形成され、この係合片部４４を係合凸部４３に係合させることによりモールドケース７にシールドカバー８が組み込まれるようになっている。
【００３４】
このように構成された自動復帰型スイッチ１では、モールドケース７にシールドカバー８が装着された際には、図２に示すように、回動レバー６の当て止め部３５が原点位置においてシールドカバー８のストッパー部４０に当接して当て止めされ、回動レバー６の可動接点端子５から離反する方向への移動が規制されるようになっている。
【００３５】
この状態では、回動レバー６の押圧部３３が可動接点端子５の被操作部３２に常時弾性接触した状態にあり、原点位置において、回動レバー６が可動接点端子５に引き起こし方向に付勢された状態で停止している。
【００３６】
また、この自動復帰型スイッチ１では、操作部３２が押し込まれて操作レバー６が原位置より押し倒し方向に回動することにより、押圧部３３が被操作部２３を固定接点支持壁部１２側に向けて押圧し、それにより可動接点端子５が変形し、それに伴い可動接点部４が固定接点支持壁部１２の内側面に沿って移動して固定接点部３ａと接触する。
【００３７】
さらに、回動レバー６に作用する押し込み力を解除すると、可動接点端子５の弾性により回動レバー６を引き起こし方向に押し戻し原点位置に復帰し、それに伴い可動接点部４が固定接点支持壁部１２の内側面に沿って移動して固定接点部３ａより離反する。
【００３８】
一方、モールドケース７にシールドカバー８が未装着の際には、図４（ｂ）に示す如く、ストッパー部４０による回動レバー６の可動接点端子５から離反する方向への移動が規制されず、回動レバー６が可動接点端子５と接触しない位置まで回動できるようになっている。
【００３９】
従って、この自動復帰型スイッチ１は、回動レバー６とバネ部材としての可動接点端子５とを互いに干渉しない位置関係においてモールドケース７に組み込むことができるようになっている。
【００４０】
次に、本発明に係る自動復帰型スイッチの組み立て方法を図４について説明する。尚、上述の実施例と同様の構成には同一符号を付して説明を省略する。
【００４１】
この組み立て方法では、まず、図４（ａ）に示すように、モールドケース７の端子圧入部１３に可動接点端子５の固定支持部２０を圧入し、可動接点端子５をモールドケース７に組み込む。このとき、可動接点端子５は、一方の端部に形成された固定支持部２０がモールドケース７に固定される一方、その他の部分はフリーな状態、即ち、全体として外力を受けず撓んだ状態になく、可動接点部４も固定接点支持壁部１２と非接触の状態にある。
【００４２】
次に、図４（ｂ）に示すように、回動レバー６を引き起こし方向に最大限引き起こした位置、即ち可動接点端子５と互いに干渉しない位置関係において回動軸３０に嵌め込み、回動レバー６をモールドケース７に組み込む。
【００４３】
このように可動接点端子５と回動レバー６とを互いに干渉しない位置関係においてモールドケース７に組み込むことにより、組み込み作業時に可動接点端子５を撓ませる必要がなく、組み込み作業を容易に行うことができ、そのため自動化にも対応可能となる。
【００４４】
そして、可動接点端子５及び回動レバー６を組み込んだ後、図４（ｃ）に示すように、回動レバー６に押圧力を作用させて押し込み方向に回動動作させて当て止め部３５を押し込み方向側に移動させるとともに、押圧部３３により可動接点端子５の被操作部２３を押圧し、可動接点端子５を弾性変形させる。
【００４５】
このとき、可動接点端子５は、固定支持部２０においてモールドケース７に固定された状態にあるので、回動レバー６より外力を受けてもモールドケース７より外れることがない。
【００４６】
そして、この状態において、図４（ｄ）に示すように、モールドケース７の上面開口部側よりシールドカバー８を組み込み、ストッパー部４０を当て止め部３５の引き起こし方向側に挿入する。
【００４７】
最後に、回動レバー６に作用する押圧力を解除すると、図４（ｅ）に示すように、回動レバー６が可動接点端子５の弾性により押し戻され、原点位置において、ストッパー部４０に当て止め部３５が当て止めされ、回動レバー６の可動接点端子５より離反する方向の回動動作が規制される。
【００４８】
それにより、回動レバー６が可動接点端子５に常時弾性接触した状態となり、可動接点端子５により回動レバー６に原点位置側に向けた付勢力（初圧）が付与され、自動復帰型スイッチ１の組み立てが完了する。
【００４９】
尚、上述の実施例では、操作部材として回動式のレバー６を用いた例について説明したが、操作部材には、スライド移動により可動接点端子５を押圧するようにしたもの等であってもよい。
【００５０】
また、上述の実施例では、可動接点端子をバネ部材として使用した例について説明したが、可動接点端子とは別個にバネ部材を備えるものであってもよい。
【符号の説明】
【００５１】
１  スイッチ
２  ハウジング
３  固定接点端子
４  可動接点部
５  可動接点端子
６  回動レバー
７  モールドケース
８  シールドカバー
１０  基板部
１１  側壁部
１２  固定接点支持壁部
１３  端子圧入部
１４  コモン端子
２０  支持固定部
２３  被操作部
３０  回動軸
３１  回動部
３２  操作部
３３  押圧部
３４  挿通孔
３５  当て止め部
４０  ストッパー部
４１  本体部
４２  押さえ部
４３  係合凸部
４４  係合片部
【図１】
2013012372.tif 000003
【図２】
2013012372.tif 000004
【図３】
2013012372.tif 000005
【図４】
2013012372.tif 000006
【図５】
2013012372.tif 000007